(57)【要約】      （修正有）【課題】ＰＣが邪魔にならずに広い領域で作業ができ、格納した位置でＰＣを使用できる作業机環境装置を提供する。【解決手段】机上の本立て、又は本棚２にノート型のパーソナルコンピュータが格納できる窪み１を設ける。【選択図】図１
0003192772.tif 000002
【実用新案登録請求の範囲】
【請求項１】
ノリ、付箋紙、鋏などが机上の本立て、又は本棚の所定の位置に配置しやすくした事を特徴とする効率的作業机環境装置。
【請求項２】
ノート型のパーソナルコンピュータ（以下、PCと略す）を机上の本立て、又は本棚にＰＣが格納できるくぼみを持たせた事を特徴とする効率的作業机環境装置。
【考案の詳細な説明】
【技術分野】
【０００１】
作業机や、作業配膳の技術分野に適用する。
【背景技術】
【０００２】
従来、子供用の勉強机などは勉強がしやすいように、机にライトや本立てや本棚付きで販売されている。
【先行技術文献】
【特許文献】
【０００３】
【特許文献１】特になし。
【非特許文献】
【０００４】
【非特許文献１】従来、子供用としてはライト、本立てや、本棚が一体となった机が販売されている。
【考案の概要】
【考案が解決しようとする課題】
【０００５】
（１）ノリ、付箋紙、カッターなどが所定の位置に配置されていると作業が効率的に行われるが、このような物を定型化して製品にしている物はない。子供用机でも、ノリ、付箋紙、カッターなどは引出しに入れておくタイプである。
（２）作業時はノリ、付箋紙、カッターなどをふんだんに使い机の上に置かれるが使い終わって、次の日に使おうとするとどこに置いたかわからなくなってしまう課題がある。
（３）ノート型のパーソナルコンピュータ（以下、PCと略す）を使うことが多いが、PCを使わない作業の時でもPCが机の広い領域を取るので邪魔になる。
【課題を解決するための手段】
【０００６】
前記の課題を解決するために、以下の構造を持つ効率的机上作業環境装置（以下、デスクピットと略することがある）とする。
（１）ペン、ノリ、付箋紙、ハサミなどが机上の本立て、又は本棚の所定の位置に配置される構造とする。
（２）作業時はペン、ノリ、付箋紙、ハサミなどをふんだんに使い机の上に置かれるが、使い終わったら（１）の所定の位置に返せる構造とする。
（３）PCを使い終わったら、PCを本立てのくぼみの位置に格納できる構造とする、また、格納した位置でPCを使用できる構造とし、PCの作業をするときに自分に近づきすぎないで作業をできる構造とする。
【考案の効果】
【０００７】
（１）ノリ、付箋紙、ハサミなどが本立て、又は本棚の所定の位置に配置されているので作業が効率的に行える。
（２）作業時はノリ、付箋紙、ハサミなどをふんだんに使い机の上に置かれるが、使い終わって、本立て、又は本棚の所定の場所に戻すので、次に使うときに探す手間が省け作業効率向上できる。また、整理する習慣ができるので人間的にも向上できる。
（３）PCを使うことが多いが、PCを使わない作業の時には、本立て、又は本棚の奥の方（特に右横奥の方向）に入るので、PCが邪魔にならずに広い領域で作業ができて効率的、また、格納した位置でPCを使用できる構造なので、PCの作業をするときに自分に近づきすぎないので効率的に作業ができる。
（４）デスクピットの前に座ると自然と勉強したくなるし、自然と効率的に勉強できる。
【図面の簡単な説明】
【０００８】
【図１】デスクピットの組み立てた直後の前面写真
【図２】デスクピットにPCを収納し使用している前面写真
【図３】デスクピットに備品を収納した時の前面写真（その１）
【図４】デスクピットに備品を収納した時の前面写真（その２）
【実施例】
【０００９】
マイカー通勤をしている人が、毎朝運転席の位置と角度、ミラーの向き、シフトレバーとサイドブレーキの種類の確認などをしていない。ましてや、カーナビやエアコンの使い方の確認も。本当は毎回やることなのでしょうが、座ったとたんに走り出してしまうことができる。では、なぜそのようなことができるかと言うと、必要な情報と手順が車と一体となって身についているからです。
【００１０】
では、自分の仕事机の場合はどうかと考えると、あれはどこ、これは何、となっている。作業を効率良く進めようと考えたら、システム化と手順が重要です。机上面積を全部生かして、しかも自分にとっての使い勝手を第一に考えれば、自分の目の高さ位に本棚を据え付けるのが最良です。また、いつもきれいにしているだけで良いものでもない。この「デスクピット」の特徴は、その両者の利点を可能な限り取り入れようとしたところにある。長所としては、机上の全面積を使いたいという状況を可能としながらも、本棚とPCの共存が図れるようにしたところである。また、付箋やカレンダーや月間予定表などの掲示場所確保と文房具置き場とその利用法の合理化も図ったことである。
【００１１】
以下に、デスクピットの構造、長所、及び使用方法を詳しく説明する。図１はデスクピットの１実施例の基本構造を示す。
１．  図２の様にPCをほぼ自分の正面に置くことができる。PCを使わないときは図３のように本立て、又は本棚にくぼみを持たせ格納できる構造で作る。
２．  書きものが中心の時はPCが邪魔になるので、その際は図４の様にPCを右側の本棚の下部分に収納できる構造で作る。
３．  図３に示すように使用頻度の高い文房具類（ノリ、テープなど）が常に目につきやすくて、すぐ手の届く位置に置ける構造で作る。
４．  図３に示すように付箋やカレンダー予定表を正面の壁部分に貼れる構造で作る。
５．  左右の本棚部分の中身（文書や本など）の使い分けがしやすい。右側には、持っているペンを一旦置いてから取り出すことを想定したものを、左側はペンを持ったまま取り出すことを想定したものを、などというように配置できる構造で作る。（図３参照）
６．  同じ仕事を翌日もすぐに行いたい場合は、左右の本棚下部分に文書等を置いて帰れば邪魔にならないし見栄えも良い。そして、翌朝すぐに仕事に取りかかれる構造で作る。（図４参照）
【００１２】
これにより、以下の事が可能になる。仕事前には、その日に必要な書類や文書をPCの左右に、その仕事にあらたに必要な文房具を引き出しから出して、一時置き場にセットする。作業中に使った文房具は、面倒でもその都度一時置き場の決まった位置に戻す。これが肝心である。そうしないと、すぐ「探し物はなんですか」になってしまう。そのことをスポーツで例えるならば、野球やバレーボール、テニスで選手がプレーの都度定位置に戻ることと似ている気がします。それが、次に予想される展開に対する最善の対策だからである。仕事終了後は元通りの、机の上にはPCしか置いてない状態に戻して気分もスッキリして退出する。当日に出した（常時出してあるものはそのままに）文房具も当然一時置き場にそのままにせず、元の引き出しなどに戻すことが肝心である。翌朝にも同じ作業が続く場合だけ、書類等は左右の本棚の下部分かPCの上に置いて帰る。これで、本当にスッキリと明日の憂いなく職場を後にできる。
【産業上の利用可能性】
【００１３】
産業上の利用可能性は自明なので省略する。
【図１】
0003192772.tif 000003
【図２】
0003192772.tif 000004
【図３】
0003192772.tif 000005
【図４】
0003192772.tif 000006
【手続補正書】
【提出日】平成26年5月8日(2014.5.8)
【手続補正１】
【補正対象書類名】図面
【補正対象項目名】全図
【補正方法】変更
【補正の内容】
【図１】
0003192772.tif 000007
【図２】
0003192772.tif 000008
【図３】
0003192772.tif 000009
【図４】
0003192772.tif 000010
【手続補正書】
【提出日】平成26年7月2日(2014.7.2)
【手続補正１】
【補正対象書類名】実用新案登録請求の範囲
【補正対象項目名】全文
【補正方法】変更
【補正の内容】
【実用新案登録請求の範囲】
【請求項１】
ノート型のパーソナルコンピュータ（以下、PCと略す）を机上の本立て、又は本棚にＰＣが格納できる窪みを持たせた構造を有する事を特徴とする効率的作業机環境装置。
【手続補正２】
【補正対象書類名】明細書
【補正対象項目名】全文
【補正方法】変更
【補正の内容】
【考案の詳細な説明】
【技術分野】
【０００１】
作業机や、作業配膳の技術分野に適用する。
【背景技術】
【０００２】
従来、子供用の勉強机などは勉強がしやすいように、机にライトや本立てや本棚付きで販売されている。
【先行技術文献】
【特許文献】
【０００３】
【特許文献１】特になし。
【非特許文献】
【０００４】
【非特許文献１】従来、子供用としてはライト、本立てや、本棚が一体となった机が販売されている。
【考案の概要】
【考案が解決しようとする課題】
【０００５】
（１）ノリ、付箋紙、カッターなどが所定の位置に配置されていると作業が効率的に行われるが、このような物を定型化して製品にしている物はない。子供用机でも、ノリ、付箋紙、カッターなどは引出しに入れておくタイプである。
（２）作業時はノリ、付箋紙、カッターなどをふんだんに使い机の上に置かれるが使い終わって、次の日に使おうとするとどこに置いたかわからなくなってしまう課題がある。
（３）ノート型のパーソナルコンピュータ（以下、PCと略す）を使うことが多いが、PCを使わない作業の時でもPCが机の広い領域を取るので邪魔になる。
【課題を解決するための手段】
【０００６】
前記の課題を解決するために、以下の構造を持つ効率的机上作業環境装置（以下、デスクピットと略することがある）とする。
（１）ペン、ノリ、付箋紙、ハサミなどが机上の本立て、又は本棚の所定の位置に配置される構造とする。
（２）作業時はペン、ノリ、付箋紙、ハサミなどをふんだんに使い机の上に置かれるが、使い終わったら（１）の所定の位置に返せる構造とする。
（３）PCを使い終わったら、PCを本立てのくぼみの位置に格納できる構造とする、また、格納した位置でPCを使用できる構造とし、PCの作業をするときに自分に近づきすぎないで作業をできる構造とする。
【考案の効果】
【０００７】
（１）ノリ、付箋紙、ハサミなどが本立て、又は本棚の所定の位置に配置されているので作業が効率的に行える。
（２）作業時はノリ、付箋紙、ハサミなどをふんだんに使い机の上に置かれるが、使い終わって、本立て、又は本棚の所定の場所に戻すので、次に使うときに探す手間が省け作業効率向上できる。また、整理する習慣ができるので人間的にも向上できる。
（３）PCを使うことが多いが、PCを使わない作業の時には、本立て、又は本棚の奥の方（特に右横奥の方向）に入るので、PCが邪魔にならずに広い領域で作業ができて効率的、また、格納した位置でPCを使用できる構造なので、PCの作業をするときに自分に近づきすぎないので効率的に作業ができる。
（４）デスクピットの前に座ると自然と勉強したくなるし、自然と効率的に勉強できる。
【図面の簡単な説明】
【０００８】
【図１】デスクピットの組み立てた直後の前面写真
【図２】デスクピットにPCを収納し使用している前面写真
【図３】デスクピットに備品を収納した時の前面写真（その１）
【図４】デスクピットに備品を収納した時の前面写真（その２）
【実施例】
【０００９】
マイカー通勤をしている人が、毎朝運転席の位置と角度、ミラーの向き、シフトレバーとサイドブレーキの種類の確認などをしていない。ましてや、カーナビやエアコンの使い方の確認も。本当は毎回やることなのでしょうが、座ったとたんに走り出してしまうことができる。では、なぜそのようなことができるかと言うと、必要な情報と手順が車と一体となって身についているからです。
【００１０】
では、自分の仕事机の場合はどうかと考えると、あれはどこ、これは何、となっている。作業を効率良く進めようと考えたら、システム化と手順が重要です。机上面積を全部生かして、しかも自分にとっての使い勝手を第一に考えれば、自分の目の高さ位に本棚を据え付けるのが最良です。また、いつもきれいにしているだけで良いものでもない。この「デスクピット」の特徴は、その両者の利点を可能な限り取り入れようとしたところにある。長所としては、机上の全面積を使いたいという状況を可能としながらも、本棚とPCの共存が図れるようにしたところである。また、付箋やカレンダーや月間予定表などの掲示場所確保と文房具置き場とその利用法の合理化も図ったことである。
【００１１】
以下に、デスクピットの構造、長所、及び使用方法を詳しく説明する。図１はデスクピットの１実施例の基本構造を示す。２は本棚全体を示す。１は本棚にPCを格納できるようにした窪みである。
１．  図２の様にPCをほぼ自分の正面に置くことができる。PCを使わないときは図３のように本立て、又は本棚の窪み１に格納できる構造で作る。
２．  書きものが中心の時はPCが邪魔になるので、その際は図４の様にPCを右側の本棚の下部分に収納できる構造で作る。
３．  図３に示すように使用頻度の高い文房具類（ノリ、テープなど）が常に目につきやすくて、すぐ手の届く位置に置ける構造で作る。
４．  図３に示すように付箋やカレンダー予定表を正面の壁部分に貼れる構造で作る。
５．  左右の本棚部分の中身（文書や本など）の使い分けがしやすい。右側には、持っているペンを一旦置いてから取り出すことを想定したものを、左側はペンを持ったまま取り出すことを想定したものを、などというように配置できる構造で作る。（図３参照）
６．  同じ仕事を翌日もすぐに行いたい場合は、左右の本棚下部分に文書等を置いて帰れば邪魔にならないし見栄えも良い。そして、翌朝すぐに仕事に取りかかれる構造で作る。（図４参照）
【００１２】
これにより、以下の事が可能になる。仕事前には、その日に必要な書類や文書をPCの左右に、その仕事にあらたに必要な文房具を引き出しから出して、一時置き場にセットする。作業中に使った文房具は、面倒でもその都度一時置き場の決まった位置に戻す。これが肝心である。そうしないと、すぐ「探し物はなんですか」になってしまう。そのことをスポーツで例えるならば、野球やバレーボール、テニスで選手がプレーの都度定位置に戻ることと似ている気がします。それが、次に予想される展開に対する最善の対策だからである。仕事終了後は元通りの、机の上にはPCしか置いてない状態に戻して気分もスッキリして退出する。当日に出した（常時出してあるものはそのままに）文房具も当然一時置き場にそのままにせず、元の引き出しなどに戻すことが肝心である。翌朝にも同じ作業が続く場合だけ、書類等は左右の本棚の下部分かPCの上に置いて帰る。これで、本当にスッキリと明日の憂いなく職場を後にできる。
【産業上の利用可能性】
【００１３】
産業上の利用可能性は自明なので省略する。
【符号の説明】
【００１４】
１  PCを入れる窪み
２  本棚
３  PC
【手続補正３】
【補正対象書類名】図面
【補正対象項目名】図１
【補正方法】変更
【補正の内容】
【図１】
0003192772.tif 000011
【手続補正４】
【補正対象書類名】図面
【補正対象項目名】図２
【補正方法】変更
【補正の内容】
【図２】
0003192772.tif 000012